(57)【要約】【課題】  来店ポイントによる顧客囲い込み効果と来店ポイントの弊害との調和を図る。【解決手段】  顧客に対して情報表示機能及び情報入力機能を提供するインターフェース（例えば、液晶表示器４１６、タッチパネル４１５）を介して顧客番号を入力可能とし、顧客番号に対応させてポイントを書き替え自在に記憶する顧客実績テーブルに対して、一日のうち設定された複数の時間帯（ある時刻とある時刻との間の時間を意味する）の中でそれぞれ１回だけ、入力された顧客番号に対応させてポイントを付加する処理を実行する。【選択図】    図２
2006185047.tif 000002
【特許請求の範囲】
【請求項１】
顧客に対して情報表示機能及び情報入力機能を提供するインターフェースと、
前記インターフェースを介して顧客番号を入力する手段と、
顧客番号に対応させてポイントを書き替え自在に記憶する顧客実績テーブルに対して、一日のうち設定された複数の時間帯の中でそれぞれ１回だけ、入力された顧客番号に対応させてポイントを付加する第一の処理を実行する手段と、
を備える情報処理システム。
【請求項２】
顧客に対して情報表示機能及び情報入力機能を提供するインターフェースと、
前記インターフェースを介して顧客番号を入力する手段と、
顧客番号に対応させてポイントを書き替え自在に記憶する顧客実績テーブルに対して、一日のうち設定された時間間隔の中では１回だけという制限の下に回数を問わず、入力された顧客番号に対応させてポイントを付加する第二の処理を実行する手段と、
を備える情報処理システム。
【請求項３】
顧客に対して情報表示機能及び情報入力機能を提供するインターフェースと、
前記インターフェースを介して顧客番号を入力する手段と、
顧客番号に対応させてポイントを書き替え自在に記憶する顧客実績テーブルに対して、一日のうち設定された複数の時間帯の中で１回だけ、入力された顧客番号に対応させてポイントを付加する第一の処理を実行する手段と、
前記顧客実績テーブルに対して、一日のうち設定された時間間隔の中では１回だけという制限の下に回数を問わず、入力された顧客番号に対応させてポイントを付加する第二の処理を実行する手段と、
前記第一の処理を実行させるか前記第二の処理を実行させるかを択一的に決定する手段と、
を備える情報処理システム。
【請求項４】
前記複数の時間帯は、設定された時刻の前後をもって定義される、請求項１又は３記載の情報処理システム。
【請求項５】
前記複数の時間帯は、設定自在である、請求項１、３又は４記載の情報処理システム。
【請求項６】
前記時間間隔は、設定された時間の内外をもって定義される、請求項２又は３記載の情報処理システム。
【請求項７】
前記時間間隔は、設定自在である、請求項２、３又は６記載の情報処理システム。
【請求項８】
前記第一の処理の実行又は前記第二の処理の実行を、設定された期間においてのみ実行するようにした、請求項１、２、３、４、５、６又は７記載の情報処理システム。
【請求項９】
前記設定された期間は、設定自在である、請求項８記載の情報処理システム。
【発明の詳細な説明】
【技術分野】
【０００１】
本発明は、来店した顧客に来店ポイントを付与するようにした情報処理システムに関する。
【背景技術】
【０００２】
コンビニエンスストア等の店舗では、来店した顧客に情報を提供したり割引券等の優待券を発行したりすることができる情報発信端末が広く普及している。このような情報発信端末では、発券機能の一環として、来店した顧客に来店ポイントを付与するようなサービスを実行するものがある。この種のサービスは、来店した顧客に来店ポイントを付与してそのポイントを累計できるようにしておき、累計ポイントが規定のポイントに達すると例えば割引券を発行する、というものである。このような来店ポイントの付与サービスは、顧客に来店を促すという意味で、営業上の利点を店舗側にもたらす。
【０００３】
特許文献１には、一日に一回だけ来店ポイントを付与するようにした情報処理システムが記載されている（段落０００４、段落００２８）。
【０００４】
特許文献２には、店舗内における顧客の行動量に基づいて来店ポイントを決定し、決定した来店ポイントを付与するようにした情報処理システムが記載されている（段落０００６〜０００９）。この場合、顧客の行動量の検出は、顧客に保持させた発信機との間のデータ送受信によりなされる（段落０００８）。特許文献２では、同一売り場で同一顧客が複数回検出された場合に一つの顧客データにマージすることについての記載はあるものの（段落００３６）、一日に一回だけ来店ポイントを付与するかどうかについての記載はない。
【０００５】
【特許文献１】特開２００４−０９４４７６公報
【特許文献２】特開２００２−２０８０７０公報
【発明の開示】
【発明が解決しようとする課題】
【０００６】
一日に一回だけの来店ポイントの付与では、顧客に来店を促すという目的が十分に達し難い。特に、コンビニエンスストアは、同一の顧客が一日に複数回来店することがあり、その都度買物をする可能性がある。例えば、駅の周辺にＡとＢという二つのコンビニエンスストアがあり、Ａストアで来店ポイントを付与していると仮定する。この場合、ある顧客は、朝の出勤時、来店ポイントによる利益を享受するためにＡストアに立ち寄るかもしれいが、帰宅時にはＡストアで来店ポイントの利益を享受できないためにＢストアに立ち寄るかもしれない。このような事態を考慮すると、一日に一回だけの来店ポイントの付与だけでは、顧客に来店を促すという目的を十分に達し難いことが良く分かる。この問題は、来店ポイント付与による顧客囲い込み効果の程度として認識される。
【０００７】
その反面、来店の都度、同一顧客に来店ポイントを付与したのでは、来店ポイントが割引券等の発行に結びつくということを考慮すると、店の経営を圧迫しかねない。もしもこのような運用を採用するとなると、顧客は、情報発信端末で一度に何度も来店操作をして来店ポイントを稼ぐ可能性がある。特に、店舗に設置される情報発信端末は、顧客自らの来店操作によって来店処理を実行するのが一般的であることから、そのような悪用がなされ易い。この問題は、来店ポイントを付与しすぎることによる弊害として認識される。
【０００８】
以上より、来店ポイント付与による顧客囲い込み効果と来店ポイントを付与しすぎることによる弊害とは表裏一体であることが分かる。
【０００９】
本発明の目的は、来店ポイント付与による顧客囲い込み効果と来店ポイントを付与しすぎることによる弊害とを調和させることである。
【課題を解決するための手段】
【００１０】
本発明は、顧客に対して情報表示機能及び情報入力機能を提供するインターフェース（例えば、液晶表示器、タッチパネル）を介して顧客番号を入力可能とし、顧客番号に対応させてポイントを書き替え自在に記憶する顧客実績テーブルに対して、一日のうち設定された複数の時間帯（ある時刻とある時刻との間の時間を意味する）の中でそれぞれ１回だけ、入力された顧客番号に対応させてポイントを付加する処理を実行するようにした。
【００１１】
別の面から見た本発明は、顧客に対して情報表示機能及び情報入力機能を提供するインターフェース（例えば、液晶表示器、タッチパネル）を介して顧客番号を入力可能とし、顧客番号に対応させてポイントを書き替え自在に記憶する顧客実績テーブルに対して、一日のうち設定された時間間隔（時刻とは関係付けられない時間間隔を意味する）の中では１回だけという制限の下に回数を問わず、入力された顧客番号に対応させてポイントを付加する第二の処理を実行するようにした。
【００１２】
更に別の面から見た本発明は、顧客に対して情報表示機能及び情報入力機能を提供するインターフェース（例えば、液晶表示器、タッチパネル）を介して顧客番号を入力可能とし、顧客番号に対応させてポイントを書き替え自在に記憶する顧客実績テーブルに対して、一日のうち設定された複数の時間帯（ある時刻とある時刻との間の時間を意味する）の中で１回だけ、入力された顧客番号に対応させてポイントを付加する第一の処理を実行可能とし、一日のうち設定された時間間隔（時刻とは関係付けられない時間間隔を意味する）の中では１回だけという制限の下に回数を問わず、入力された顧客番号に対応させてポイントを付加する第二の処理を実行可能とし、前記第一の処理の実行と前記第二の処理の実行とを択一的に決定できるようにした。
【発明の効果】
【００１３】
本発明によれば、一日のうち設定された複数の時間帯を跨げば複数回の来店ポイント付与を可能にし、あるいは、一日のうち設定された時間間隔の中では１回だけという制限の下に回数を問わずに来店ポイント付与を可能にするという面から、来店ポイント付与による顧客囲い込み効果を向上させることができ、その反面、一日のうち設定された複数の時間帯の中では来店ポイント付与をそれぞれ１回だけに制限し、あるいは、一日のうち設定された時間間隔の中では来店ポイント付与を１回だけに制限するという面から、来店ポイントを付与しすぎることによる弊害を抑制することができ、したがって、来店ポイント付与による顧客囲い込み効果と来店ポイントを付与しすぎることによる弊害とを調和させることができる。
【発明を実施するための最良の形態】
【００１４】
本発明の実施の一形態を図１ないし図７に基づいて説明する。
【００１５】
図１は、全体のシステム構成を示す模式図である。ストアコントローラ１０１、複数台のＰＯＳ端末２０１、顧客サーバ３０１及び情報発信端末４０１がネットワーク５０１を介して接続されている。本実施の形態の情報処理システムは、ネットワーク５０１を介して接続された顧客サーバ３０１と情報発信端末４０１とによって構築されている。ネットワーク５０１は、一例としてＬＡＮによって構成される。
【００１６】
もっとも、ＬＡＮに限らず、ネットワーク５０１には、外部回線等のような他のネットワークの要素が入り込んでいても良い。例えば、ストアコントローラ１０１、ＰＯＳ端末２０１及び情報発信端末４０１のそれぞれはＬＡＮを介して接続され、それらの機器の全部又は一部に対して、顧客サーバ３０１は電話回線網を介して相互にアクセス可能に接続されていても良い。この場合、ＬＡＮ及び電話回線網がネットワーク５０１を構築する。
【００１７】
別の観点からすると、ストアコントローラ１０１、ＰＯＳ端末２０１、顧客サーバ３０１及び情報発信端末４０１は、全て同一店舗内に設置されていてもよく、一例として顧客サーバ３０１のみが他所、例えば同一地域を統括する支部、あるいは全部又は一部の店舗を統括する本部に設置されていても良い。
【００１８】
情報発信端末４０１は、一例として、店舗内に設置され、顧客に対してその操作が開放される。図１に示すように、情報発信端末４０１は、置き台４０２の上に操作表示部４０３が載置され、操作表示部４０３の左右背後がカバー４０４で覆われた外観態様を有している。また、置き台４０２の情報には、後述するプリンタ４０５による印字発行物を発行するための発行口４０６が配置されている。
【００１９】
図２は、顧客サーバ３０１と情報発信端末４０１とのブロック図である。
【００２０】
顧客サーバ３０１は、各種処理を集中的に実行するＣＰＵ３０２を有し、このＣＰＵ３０２に固定データを固定的に記憶するＲＯＭ３０３と可変データを書き換え自在に記憶するＲＡＭ３０４とがバスライン３０５を介して接続されている。アプリケーションプログラムや各種ファイルを書き換え自在に記憶するＨＤＤ３０６も設けられ、このＨＤＤ３０６もバスライン３０５を介してＣＰＵ３０２に接続されている。このＨＤＤ３０６は、一例として顧客サーバ３０１が内蔵する内蔵型ＨＤＤとして構成され、他の一例としてはそのような顧客サーバ３０１が内蔵する内蔵型ＨＤＤの他に外部記憶装置として分散されて構成されている。大容量が必要である場合等には内蔵型ＨＤＤと外部記憶装置とにＨＤＤ３０６を分散させることが望ましい。起動中の固定サーバ３０１では、ＨＤＤ３０６に記憶するアプリケーションプログラムの全部又は一部をＲＡＭ３０４に移し、アクセス速度の高速度化を図っている。
【００２１】
その他、顧客サーバ３０１は、入力装置３０７と表示装置３０８とＣＤ−ＲＯＭドライブ３０９と通信インターフェース３１０とを有し、これらの各部もバスライン３０５を介してＣＰＵ３０２に接続されている。顧客サーバ３０１のネットワーク５０１への接続は、通信インターフェース３１０を介してなされている。
【００２２】
情報発信端末４０１は、各種処理を集中的に実行するＣＰＵ４１１を有し、このＣＰＵ４１１に固定データを固定的に記憶するＲＯＭ４１２と可変データを書き換え自在に記憶するＲＡＭ４１３とがバスライン４１４を介して接続されている。情報発信端末４０１では、一例として、制御プログラムがファームウェアとしてＲＯＭ４１２に記録されている。また、情報発信端末４０１は、タッチパネル４１５と表示装置４１６と前述したプリンタ４０５と通信インターフェース４１７とを有し、これらの各部もバスライン４１４を介してＣＰＵ４１１に接続されている。表示装置４１６は液晶表示器によって構成されている。タッチパネル４１５は表示装置４１６の上に配置されている。ＲＯＭ４１２に格納された制御プログラムは、表示装置４１６に表示された入力操作用のオブジェクトにタッチパネル４１５を介してタッチすることで、その入力操作用のオブジェクトが意図する入力処理を実現する。この意味で、表示装置４１６及びタッチパネル４１５は、顧客に対して情報表示機能及び情報入力機能を提供するインターフェースとして機能する。なお、情報発信端末４０１のネットワーク５０１への接続は、通信インターフェース４１７を介してなされている。
【００２３】
ここで、顧客サーバ３０１が有するＨＤＤ３０６は、顧客マスタテーブル３１１、顧客実績テーブル３１２、付与ログテーブル３１３及び来店ポイント規格テーブル３１４を記憶している。以下、それらの各テーブルについて説明する。
【００２４】
図３は、顧客マスタテーブル３１１の一例を示す模式図である。顧客マスタテーブル３１１は、顧客情報を管理するための書き換え自在のテーブルである。つまり、顧客マスタテーブル３１１は、顧客に発行する会員カードのカード番号３１１ａに対応させて、顧客氏名３１１ｂ、性別３１１ｃ、誕生日３１１ｄ、…等の顧客情報を記憶している。したがって、顧客マスタテーブル３１１を参照することで、カード番号３１１ａからその顧客の氏名（顧客氏名３１１ｂ）、性別（性別３１１ｃ）、誕生日（誕生日３１１ｄ）等を検索することが可能である。
【００２５】
図４は、顧客実績テーブル３１２の一例を示す模式図である。顧客実績テーブル３１２は、顧客の購入実績やポイント、来店回数等を管理するための書き換え自在のテーブルである。つまり、顧客実績テーブル３１２は、サイクル基準日３１２ａ、顧客番号としてのカード番号３１２ｂ、買上金額３１２ｃ、買上点数３１２ｄ、ポイント３１２ｅ、来店回数３１２ｆをそれぞれ対応付けて記憶している。サイクル基準日３１２ａは、一例として、サービスサイクルを決めている場合、そのサービスサイクルの基準となる日を意味する。したがって、顧客実績テーブル３１２を参照することで、一例としてカード番号３１２ｂからサイクル基準日（サイクル基準日３１２ａ）、そのサイクル基準日によって特定されるサービスサイクルにおける買上金額（買上金額３１２ｃ）と買上点数（買上点数３１２ｄ）と、ポイント数（ポイント３１２ｅ）と来店回数（来店回数３１２ｆ）とを検索することができる。
【００２６】
図５は、付与ログテーブル３１３の一例を示す模式図である。付与ログテーブル３１３は、顧客に対する付与ポイントを管理する書き換え自在のテーブルである。つまり、付与ログテーブル３１３は、ポイントの付与日時３１３ａに対応させて、カード番号３１３ｂと付与ポイント３１３ｃとを記憶している。したがって、付与日時３１３ａによって特定されるある一日について、カード番号３１３ｂによって特定されるある顧客にポイントを付与した時間を付与日時３１３ａから、その際のポイント数を付与ポイント３１３ｃから検索することができる。
【００２７】
図６は、来店ポイント企画テーブル３１４の一例を示す模式図である。来店ポイント企画テーブル３１４は、顧客が来店することによって付与する来店ポイントをどのようにして付与するかを決定するための書き換え自在の設定テーブルである。つまり、来店ポイント企画テーブル３１４は、企画番号３１４ａに対応させて、企画名称３１４ｂ、切替タイプ３１４ｃ、切替時刻３１４ｄ、切替間隔３１４ｅ、付与ポイント３１４ｆ、企画開始日３１４ｇ、企画終了日３１４ｈを記憶している。したがって、来店ポイント企画テーブル３１４を参照することで、企画開始日３１４ｇと企画終了日３１４ｈとによって特定される期間における企画の詳細を検索することができる。企画の詳細としては、企画番号（企画番号３１４ａ）、企画名称（企画名称３１４ｂ）、その他、来店ポイントの付与の仕方とそのポイント数とが含まれる。
【００２８】
来店ポイントの付与の仕方として、切替タイプ３１４ｃが「時刻」となっている場合には、切替時刻３１４ｅが参照される。「１００２」として企画番号３１４ａで特定される企画を一例として挙げると、その切替タイプ３１４ｃは「時刻」なので、切替時刻３１４ｅが参照される。この参照により、「１７：００」という時刻データが検索される。そこで、この場合には、時刻によって特定される時間帯が１７：００を境に二つの時間帯に分かれることになる。ここから先は、顧客サーバ３０１のＨＤＤ３０６にインストールされてその全部又は一部がＲＡＭ３０４に移されたアプリケーションプログラムに従ったＣＰＵ３０２での処理として、顧客番号３１３ａによって特定されるある顧客に対して、一日のうち、１７：００より前には来店ポイントを１回だけ付与し、１７：００よりも後には来店ポイントを１回だけ付与する、という処理がなされる。この処理において、切替時刻３１４ｅに設定された「１７：００」という時刻は、一日のうち設定された複数の時間帯を定義することになる。
【００２９】
そして、「１００２」として企画番号３１４ａで特定される企画では、１回の来店ポイントが「５０」に設定されている。その他、来店ポイント企画テーブル３１４の定義から分かることは、「１００２」として企画番号３１４ａで特定される企画は、企画開始日３１４ｇに設定された「２００４年７月１５日」から企画終了日３１４ｈに設定された「２００４年８月５日」という期間だけ実行されるべき企画であり、その企画名称は企画名称３１４に設定された「台風来店感謝」である、ということである。
【００３０】
来店ポイントの付与の仕方として、切替タイプ３１４ｃが「間隔」となっている場合には、切替間隔３１４ｅが参照される。「１００１」として企画番号３１４ａで特定される企画を一例として挙げると、その切替タイプ３１４ｃは「間隔」なので、切替間隔３１４ｅが参照される。この参照により、「３時間」という時間データが検索される。そこで、この場合には、時間間隔が３時間であることが分かる。ここから先は、顧客サーバ３０１のＨＤＤ３０６にインストールされてその全部又は一部がＲＡＭ３０４に移されたアプリケーションプログラムに従ったＣＰＵ３０２での処理として、顧客番号３１３ａによって特定されるある顧客に対して、一日のうち、３時間という時間間隔の中では来店ポイントを１回だけ付与し、このような制限の下に回数を問わずに来店ポイントを付与する、という処理がなされる。この処理において、切替間隔３１４ｅに設定された「３時間」という時間は一日のうち設定された時間間隔を定義することになる。
【００３１】
そして、「１００１」として企画番号３１４ａで特定される企画では、１回の来店ポイントが「２０」に設定されている。その他、来店ポイント企画テーブル３１４の定義から分かることは、「１００１」として企画番号３１４ａで特定される企画は、企画開始日３１４ｇに設定された「２００４年７月１日」から企画終了日３１４ｈに設定された「２００４年７月１０日」という期間だけ実行されるべき企画であり、その企画名称は企画名称３１４に設定された「初夏一番」である、ということである。
【００３２】
ここで、来店ポイント企画テーブル３１４の記憶内容、つまり、企画番号３１４ａ、企画名称３１４ｂ、切替タイプ３１４ｃ、切替時刻３１４ｄ、切替間隔３１４ｅ、付与ポイント３１４ｆ、企画開始日３１４ｇ、企画終了日３１４ｈは、いずれも、一例として、顧客サーバ３０１の入力装置３０７からの入力に応じて書き換え自在であり、その値を自由に設定することができる。別の一例として、そのような来店ポイント企画テーブル３１４の記憶内容は、そのためのインフラ整備さえなされていれば、例えばホストコンピュータ等の上位機からダウンロードすることも可能である。
【００３３】
以上説明した顧客サーバ３０１と情報発信端末４０１とによって構築される情報処理システムでは、情報発信機能と発券機能とを実行する。
【００３４】
情報発信機能は、情報発信端末４０１の表示装置４１６及びタッチパネル４１５から構成されるインターフェースを通じて入力された顧客の要求に応じて、情報発信端端末４０１が顧客サーバ３０１に必要なデータの送信を要求し、これに応じて顧客サーバ３０１が要求されたデータを情報発信端末４０１に送信することで実行される。顧客サーバ３０１のＨＤＤ３０６にインストールされたアプリケーションプログラム及び情報発信端末４０１のＲＯＭ４１２に書き込まれた制御プログラムは、そのために必要な処理をそれぞれのＣＰＵ３０２、４１１に実行させる。また、顧客サーバ３０１は、提供可能な情報サービスに関するデータを例えばＨＤＤ３０６に保存している。実行可能な情報発信機能は、次の通りである。
【００３５】
１−１．商品情報の提供
お薦め商品、お買い得商品、新商品等、顧客にアピールしたい商品の情報を例えばその画像と共に提供する。情報の提供は、情報発信端末４０１の表示装置４１６に表示し、あるいはプリンタ４０５で印字発行して行なう。
【００３６】
１−２．献立メニュー・レシピの紹介
献立の提案、珍しい商品を使った料理方法、その地域に伝わる郷土料理等の情報を提供する。情報の提供は、情報発信端末４０１の表示装置４１６に表示し、あるいはプリンタ４０５で印字発行して行なう。
【００３７】
１−３．店内情報の案内
探している商品が店内のどこにあるかを案内する。案内は、情報発信端末４０１の表示装置４１６に表示し、あるいはプリンタ４０５で印字発行して行なう。
【００３８】
１−４．催し物案内
店舗での催し物、お知らせなどを顧客に案内する。案内は、情報発信端末４０１の表示装置４１６に表示し、あるいはプリンタ４０５で印字発行して行なう。
【００３９】
発券機能は、情報発信端末４０１の表示装置４１６及びタッチパネル４１５から構成されるインターフェースを通じて入力された顧客の要求に応じて、情報発信端端末４０１が顧客サーバ３０１に必要なデータの送信を要求し、これに応じて顧客サーバ３０１が要求されたデータを情報発信端末４０１に送信することで実行される。顧客サーバ３０１のＨＤＤ３０６にインストールされたアプリケーションプログラム及び情報発信端末４０１のＲＯＭ４１２に書き込まれた制御プログラムは、そのために必要な処理をそれぞれのＣＰＵ３０２、４１１に実行させる。実行可能な発券機能は、次の通りである。
【００４０】
２−１．累計ポイントの案内及び割引券発行
各顧客の累計ポイントを案内する。累計ポイントを得るには、顧客が情報発信端末４０１の表示装置４１６及びタッチパネル４１５から構成されるインターフェースを通じて会員番号を入力すると、情報発信端末４０１が顧客サーバ３０１に入力された会員番号を伴う累計ポイントの検索要求を送信する。これに応じて顧客サーバ３０１は、顧客マスタテーブル３１１からはカード番号３１１ａをキーとして対応する顧客氏名３１１ｂに記録された氏名を検索し、顧客実績テーブル３１２からはカード番号３１２ｂをキーとして対応するポイント３１２ｅに記録された累計ポイントを検索し、これらを情報発信端末４０１に返す。情報発信端末４０１は、受信した氏名及び累計ポイントを表示装置４１６に表示して顧客に案内する。
【００４１】
また、顧客サーバ３０１のＨＤＤ３０６にインストールされたアプリケーションプログラム又は情報発信端末４０１のＲＯＭ４１２に書き込まれた制御プログラムは、検索された累計ポイントが規定のポイント数を超えていた場合、割引券の発行を指示する。割引券は、情報発信端末４０１のプリンタ４０５によって印字発行される。
【００４２】
２−２．チャレンジツールによる抽選及び景品交換
一例として、情報発信端末４０１の表示装置４１６にルーレット画面を表示し、ルーレットゲームを顧客に提供する。当選した場合には、景品引換券又は割引券をプリンタ４０５によって印字発行する。
【００４３】
２−３．お誕生日お楽しみ券
顧客が情報発信端末４０１の表示装置４１６及びタッチパネル４１５から構成されるインターフェースを通じて会員番号を入力した場合、情報発信端末４０１は顧客サーバ３０１に入力された会員番号を送信する。顧客サーバ３０１は、顧客マスタテーブル３１１からはカード番号３１１ａをキーとして対応する顧客氏名３１１ｂに記録された氏名及び誕生日３１１ｄに記録された誕生日を検索する。顧客による会員番号の入力日がその顧客の誕生日である場合には、顧客サーバ３０１はその結果を情報発信端末４０１に返す。情報発信端末４０１は、顧客の誕生日に当る場合、お祝い画面をその顧客の氏名と共に表示装置４１６に表示し、優待券の一種であるお楽しみ券をプリンタ４０５によって印字発行する。
【００４４】
２−４．来店ポイントの付与
このサービスは、来店した顧客に来店ポイントを付与するサービスである。図７を中心にその他の図面も参照しながら、このサービスの詳細を次に説明する。
【００４５】
図７は、顧客サーバ３０１と情報発信端末４０１との間での来店ポイント付与サービスの処理の流れを示す模式図である。顧客は、本実施の形態の情報処理システムが設置されている店舗に足を運んだ場合、所望により、情報発信端末４０１の表示装置４１６及びタッチパネル４１５から構成されるインターフェースを通じて会員番号を入力する。顧客がインターフェースを通じて会員番号を入力した場合、ＲＯＭ４１２が記憶する制御プログラムは、情報発信端末４０１のＣＰＵ４１１に、その入力を認識させる（インターフェースを介して顧客番号を入力する手段）。そして、ＣＰＵ４１１に、顧客サーバ３０１に入力された会員番号を送信して顧客照会の処理を実行させる（ステップＳ４０１）。
【００４６】
顧客サーバ３０１のＣＰＵ３０２は、情報発信端末４０１から顧客照会を受けた場合（ステップＳ３０１）、ＨＤＤ３０６にインストールされてＲＡＭ３０４に移されたアプリケーションプログラムに従い、顧客マスタテーブル３１１からはカード番号３１１ａをキーとして対応する顧客氏名３１１ｂに記録された氏名を検索し、顧客実績テーブル３１２からはカード番号３１２ｂをキーとして対応するポイント３１２ｅに記録された累計ポイントを検索し、これらを情報発信端末４０１に返す。
【００４７】
顧客サーバ３０１のＣＰＵ３０２は、氏名及びポイント検索と並列して、来店ポイント企画テーブル３１４と付与ログテーブル３１３とを参照して来店ポイントを付加してよいかどうか判定する（ステップＳ３０２）。この判定処理について詳しく説明する。
【００４８】
まず、顧客サーバ３０１のＣＰＵ３０２は、付与ログテーブル３１３の付与日時３１３ａとカード番号３１３ａとを参照し、当日において同一のカード場号によるログがない場合には、来店ポイント付加を許容する判定を下す。そして、この結果を情報発信端末４０１に返す。すると、情報発信端末４０１のＣＰＵ４１１は、来店ポイント付与可能と判定し（ステップＳ４０２のＹ）、来店ポイントの更新処理を実行する（ステップＳ４０３）。この処理では、顧客サーバ３０１から既に受信していた累計ポイントに来店ポイントのポイント数を加算し、その結果を顧客サーバ３０１に送信する。ここで加算する来店ポイントのポイント数は、一例として情報発信端末４０１の側で決定する。この場合には、付与すべき来店ポイントのポイント数が情報発信端末４０１の例えばＲＡＭ４１３に設定されている。別の一例として、付与すべき来店ポイントのポイント数を顧客サーバ３０１の側で設定しており、その数値を情報発信端末４０１に送信するようにしても良い。
【００４９】
情報発信端末４０１は、ステップＳ４０３で来店ポイントの更新処理を実行した後、表示装置４１６に来店ポイント付与画面を表示する（ステップＳ４０４）。来店ポイント付与画面では、顧客サーバ３０１から既に受信していた氏名及び元々の累計ポイント、この元々の累計ポイントに加算される来店ポイントのポイント数、更新処理後の累計ポイントを、来店ポイントが付与された旨の案内と共に表示装置４１６に表示する。
【００５０】
ステップＳ４０３の処理で情報発信端末４０１から来店ポイントのポイント数を受信した顧客サーバ３０１のＣＰＵ３０２は、ポイント更新処理を実行する（ステップＳ３０３）。この処理は、顧客実績テーブル３１２のカード番号３１２ｂによって特定される該当するポイント３１２ｅの累計ポイント数を更新し、付与ログテーブル３１３の付与日時３１３ａを新設して対応するカード番号３１３ｂ及び付与ポイント３１３ｃを記録する処理である。
【００５１】
次いで、顧客サーバ３０１において、ステップＳ３０２の来店ポイント付与判定処理で、付与ログテーブル３１３の付与日時３１３ａとカード番号３１３ａとを参照し、当日において同一のカード場号によるログが発見された場合には、顧客サーバ３０１のＣＰＵ３０２により、第一の処理又は第二の処理が実行される。それぞれの処理について説明する。
【００５２】
まず、顧客サーバ３０１のＣＰＵ３０２は、当日（本日）を、来店ポイント企画テーブル３１４の企画開始日３１４ｇと企画終了日３１４ｈとによって規定される設定期間内に含む企画の有無を判定する。その結果、当該期間内に当日（本日）を含む企画が発見されなければ、顧客サーバ３０１のＣＰＵ３０２は、来店ポイントの付与を不可とする判定を行ない、その結果を情報発信端末４０１に返す。これに応じて、情報発信端末４０１のＣＰＵ４１１は、ステップＳ４０２にて来店ポイントの付与を不可とする判定をし（ステップＳ４０２のＮ）、表示装置４１６にポイント照会画面を表示する（ステップＳ４０５）。このポイント照会画面では、顧客サーバ３０１から既に受信していた氏名及び累計ポイントを表示装置４１６に表示する。一例として、ポイント照会画面には、来店ポイントが付与されなかった旨の案内を伴わせても良い。
【００５３】
これに対して、顧客サーバ３０１のＣＰＵ３０２は、企画開始日３１４ｇと企画終了日３１４ｈとによって規定される設定期間内に当日（本日）を含む企画を発見した場合には、該当する企画の切替タイプ３１４ｃを参照する。この切替タイプ３１４ｃに「時刻」が設定されている場合には、第一の処理が実行され、「間隔」が設定されている場合には、第二の処理が実行される（第一の処理を実行させるか第二の処理を実行させるかを択一的に決定する手段）。
【００５４】
第一の処理は、顧客実績テーブル３１２の対応するポイント３１２ｅに対して、一日のうち設定された複数の時間帯の中でそれぞれ１回だけ、情報発信端末４０１にて入力された顧客番号に対応させてポイントを付加更新する処理である。つまり、顧客サーバ３０１のＣＰＵ３０２は、来店ポイント企画テーブル３１４の切替タイプ３１４ｃに「時刻」が設定されている場合には、切替時刻３１４ｄを参照し、切替時刻についてのデータを得る。一例として、企画番号３１４ａで特定される企画番号が「１００２」の企画の場合は、「１７：００」という時刻データが検索される。そこで、この場合には、時刻によって特定される時間帯が１７：００を境に二つの時間帯に分かれることになる。顧客サーバ３０１のＣＰＵ３０２は、顧客番号３１３ａによって特定されるある顧客に対して、一日のうち、１７：００より前の時間帯には来店ポイントを１回だけ付与し、１７：００よりも後の時間帯にも来店ポイントを１回だけ付与する処理を実行する。各時間帯において、来店ポイントを１回だけ付与する処理は、付与ログテーブル３１３を参照することで容易に実行可能である。つまり、当該時間帯中、検索中のカード番号と同一のカード番号のログがカード番号３１３ｂに記録されているかどうかをもって、その検索中のカード番号によって特定される顧客が当該時間帯において始めて来店ポイントの付与処理をしようとしているのか、２度目以降に来店ポイントの付与処理をしようとしているのかが判明する。
【００５５】
第二の処理は、顧客実績テーブル３１２の対応するポイント３１２ｅに対して、一日のうち設定された時間間隔の中では１回だけという制限の下に回数を問わず、情報発信端末４０１にて入力された顧客番号に対応させてポイントを付加更新する処理である。つまり、顧客サーバ３０１のＣＰＵ３０２は、来店ポイント企画テーブル３１４の切替タイプ３１４ｃに「間隔」が設定されている場合には、切替間隔３１４ｅを参照し、切替間隔についてのデータを得る。一例として、企画番号３１４ａで特定される企画番号が「１００１」の企画の場合は、「３時間」という時間データが検索される。そこで、この場合には、時間間隔が３時間であることが分かる。顧客サーバ３０１のＣＰＵ３０２は、顧客番号３１３ａによって特定されるある顧客に対して、一日のうち、その顧客が来店して来店ポイントの付与操作をした後に３時間を経つことなく再度来店して来店ポイントの付与操作をした場合には来店ポイントを付与しないが、３時間を経った後に再度来店して来店ポイントの付与操作をした場合には来店ポイントを付与する処理を実行する。３時間を経て来店ポイントの付与操作をしたのかそうでないかは、付与ログテーブル３１３を参照することで容易に実行可能である。つまり、現在の時刻から３時間以内に、検索中のカード番号と同一のカード番号のログがカード番号３１３ｂに記録されているかどうかをもって、その検索中のカード番号によって特定される顧客が最初の来店ポイント付与から３時間以内に再び来店ポイントの付与処理をしようとしているのか、３時間経過後に来店ポイントの付与処理をしようとしているのかが判明する。
【００５６】
顧客サーバ３０１のＣＰＵ３０２は、以上説明した第一の処理又は第二の処理の結果を情報発信端末４０１に返す。この際、顧客サーバ３０１のＣＰＵ３０２は、その結果が来店ポイントの付与を許可する結果である場合、来店企画テーブル３１４の付与ポイント３１４ｆに記憶されている付与ポイントのポイント数を来店ポイントとして情報発信端末４０１に送信する。これに応じて、情報発信端末４０１のＣＰＵ４１１は、来店ポイント付与可能と判定し（ステップＳ４０２のＹ）、来店ポイントの更新処理を実行する（ステップＳ４０３）。この処理では、顧客サーバ３０１から既に受信していた累計ポイントに新たに受信した来店ポイントのポイント数を加算し、その結果を顧客サーバ３０１に送信する。
【００５７】
情報発信端末４０１は、ステップＳ４０３で来店ポイントの更新処理を実行した後、表示装置４１６に来店ポイント付与画面を表示する（ステップＳ４０４）。来店ポイント付与画面では、顧客サーバ３０１から既に受信していた氏名及び元々の累計ポイント、この元々の累計ポイントに加算される来店ポイントのポイント数、更新処理後の累計ポイントを、来店ポイントが付与された旨の案内と共に表示装置４１６に表示する。
【００５８】
ステップＳ４０３の処理で情報発信端末４０１から来店ポイントのポイント数を受信した顧客サーバ３０１のＣＰＵ３０２は、ポイント更新処理を実行する（ステップＳ３０３）。この処理は、顧客実績テーブル３１２のカード番号３１２ｂによって特定される該当するポイント３１２ｅの累計ポイント数を更新し、付与ログテーブル３１３の付与日時３１３ａを新設して対応するカード番号３１３ｂ及び付与ポイント３１３ｃを記録する処理である。もっとも、顧客サーバ３０１のＣＰＵ３０２は、来店ポイントの付与を許可する場合であれば、ステップＳ３０３で情報発信端末４０１から来店ポイントのポイント数を受信しなくても、そもそも、来店企画テーブル３１４の付与ポイント３１４ｆに記憶されている付与ポイントのポイント数検索によって、付与すべき来店ポイントのポイント数を把握している。そこで、別の一例として、ステップＳ３０３では、情報発信端末４０１から来店ポイントのポイント数を受信することなく、ポイント更新処理を実行するようにしても良い。
【００５９】
これに対して、顧客サーバ３０１のＣＰＵ３０２は、来店ポイントの付与を不可とする結果を得た場合には、その結果を情報発信端末４０１に返す。これに応じて、情報発信端末４０１のＣＰＵ４１１は、ステップＳ４０２にて来店ポイントの付与を不可とする判定し（ステップＳ４０２のＮ）、表示装置４１６にポイント照会画面を表示する（ステップＳ４０５）。このポイント照会画面では、顧客サーバ３０１から既に受信していた氏名及び累計ポイントを表示装置４１６に表示する。一例として、ポイント照会画面には、来店ポイントが付与されなかった旨の案内を伴わせても良い。
【００６０】
以上説明したように、第一の処理では、一日のうち設定された複数の時間帯を跨げば複数回の来店ポイント付与が可能であり、あるいは、第二の処理では、一日のうち設定された時間間隔の中では１回だけという制限の下に回数を問わずに来店ポイント付与が可能である。このような側面から、来店ポイント付与による顧客囲い込み効果を向上させることができる。その反面、第一の処理では、一日のうち設定された複数の時間帯の中では来店ポイント付与がそれぞれ１回だけに制限され、あるいは、第二の処理では、一日のうち設定された時間間隔の中では来店ポイント付与が１回だけに制限される。このような側面から、来店ポイントを付与しすぎることによる経営圧迫という弊害を抑制することができる。したがって、本実施の形態の情報処理システムによれば、来店ポイント付与による顧客囲い込み効果と来店ポイントを付与しすぎることによる弊害とを良好に調和させることが可能となる。
【図面の簡単な説明】
【００６１】
【図１】全体のシステム構成を示す模式図である。
【図２】顧客サーバと情報発信端末とのブロック図である。
【図３】顧客マスタテーブルの一例を示す模式図である。
【図４】顧客実績テーブルの一例を示す模式図である。
【図５】付与ログテーブルの一例を示す模式図である。
【図６】来店ポイント企画テーブルの一例を示す模式図である。
【図７】顧客サーバと情報発信端末との間での来店ポイント付与サービスの処理の流れを示す模式図である。
【符号の説明】
【００６２】
３１２…顧客実績テーブル，３１２ｂ…顧客番号（カード番号），４１５、４１６…インターフェース（タッチパネル、表示装置）
【図１】
2006185047.tif 000003
【図２】
2006185047.tif 000004
【図３】
2006185047.tif 000005
【図４】
2006185047.tif 000006
【図５】
2006185047.tif 000007
【図６】
2006185047.tif 000008
【図７】
2006185047.tif 000009